(57)【要約】      （修正有）【課題】光学レンズへの照射光により発生する反射迷光を効果的に減衰させて、レンズモジュールの結像品質を向上させる。【解決手段】光学レンズは、中央位置に位置して光学結像に用いられる光学部１１と、前記光学部１１を周回し、他の光学ユニットに当接するための保持部１２とを備え、前記保持部１２の表面には、粗化領域１２ａと黒化領域１２ｂとが設けられており、光学レンズへの照射光により発生する反射迷光を効果的に減衰させる。【選択図】図１
2020027279.tif 000002
【特許請求の範囲】
【請求項１】
中央位置に位置し、光学結像に用いられる光学部と、前記光学部を周回し、他の光学ユニットに当接するための保持部とを備える光学レンズであって、
前記保持部の表面には、粗化領域と黒化領域とが設けられていることを特徴とする光学レンズ。
【請求項２】
前記黒化領域と前記粗化領域とは、重ならないことを特徴とする請求項１に記載の光学レンズ。
【請求項３】
前記保持部は、前記光学部に接する接続部と、前記接続部より光軸から離れる方向へ延在し、他の光学ユニットと凹凸係合するための凹凸係合部とを備え、前記粗化領域は、前記接続部における物体側に向かう表面に設けられ、前記黒化領域は、前記凹凸係合部における物体側に向かう表面に設けられていることを特徴とする請求項２に記載の光学レンズ。
【請求項４】
前記黒化領域と前記粗化領域とは、少なくとも一部が重なることを特徴とする請求項１に記載の光学レンズ。
【請求項５】
前記保持部は、物体側に近接する物体側面と、像側に近接する像側面と、前記物体側面と前記像側面とを接続する接続面とを備え、前記粗化領域は、前記物体側面と前記接続面とに配置され、前記黒化領域は、前記接続面に位置する前記粗化領域を覆うことを特徴とする請求項４に記載の光学レンズ。
【請求項６】
前記保持部は、前記光学部に接する接続部と、前記接続部より光軸から離れる方向へ延在し、他の光学ユニットと凹凸係合するための凹凸係合部とを備え、前記接続部は、物体側に近接する物体側面と、像側に近接する像側面とを備え、前記粗化領域は、前記物体側面と前記像側面とに配置され、前記黒化領域は、前記粗化領域を覆うこことを特徴とする請求項４に記載の光学レンズ。
【請求項７】
前記物体側面は、前記像側面に向かって凹んで第１溝を形成し、前記像側面は、前記物体側面に向かって第２溝を形成し、前記粗化領域は、前記第１溝と前記第２溝との表面に配置されていることを特徴とする請求項６に記載の光学レンズ。
【請求項８】
前記黒化領域は、めっき黒化領域、溶射黒化領域、ディスペンス黒化領域のいずれかであることを特徴とする、請求項２〜７のいずれか１項に記載の光学レンズ。
【請求項９】
鏡筒と、前記鏡筒内に収容される請求項１〜８のいずれか１項に記載の光学レンズとを備えることを特徴とするレンズモジュール。
【発明の詳細な説明】
【技術分野】
【０００１】
本発明の実施形態は、光学結像技術分野に関し、特にカメラ、ビデオカメラ、携帯電話、タブレットＰＣ、ノートパソコンなどの電子機器に用いられるレンズモジュール内部の光学レンズ、およびレンズモジュールに関する。
【背景技術】
【０００２】
近年、結像技術の発展及び結像機能を有する電子製品の台頭に伴い、光学レンズモジュールは、様々な製品に幅広く応用され、且つ改良や最適化され続けている。現在、大半のレンズモジュールの改良方向は、レンズモジュールを小さくして薄くすること、ならびに、レンズモジュールを小さくして薄くすると同時に、どのように適切で良好な光学特性の配合度を有するレンズを選択し、および良好な結像効果が保証されるようにどのようにそれらのレンズを組み合わせるかについて工夫することにある。
【０００３】
しかしながら、本発明者らは、下記のことを見出した。即ち、結像過程において、各角度からレンズモジュールに照射された光が迷光干渉を形成することが非常に容易であるため、レンズモジュールの結像品質に非常に大きな影響を与えてしまう。これに対して、現在、レンズモジュールの光学レンズ間に遮光シート又は遮光板を追加して一部の迷光を遮断する措置があるが、これらの措置によって、一部の迷光のみを遮断又は吸収することができるため、迷光全体に対する減衰作用が比較的に弱くて、レンズモジュールの良好な結像効果を保証することができない。
【発明の概要】
【発明が解決しようとする課題】
【０００４】
本発明の実施形態の目的は、照射された反射迷光を効果的に減衰させてレンズモジュールの結像品質を向上させることができる光学レンズを提供することにある。
【課題を解決するための手段】
【０００５】
上記技術問題を解決するために、本発明の実施形態は、光学レンズを提供する。当該光学レンズは、中央位置に位置して光学結像に用いられる光学部と、前記光学部を周回し、他の光学ユニットに当接するための保持部とを備え、前記保持部の表面には、粗化領域と黒化領域とが設けられている。
【０００６】
従来技術に比べて、本発明の実施態様では、光学レンズの保持部に粗化領域と黒化領域とが設けられていることにより、粗化領域と黒化領域とが光学部の光学結像に影響を与えることを回避することができる。ここで、粗化領域は粗い表面を有し、粗い表面によって光が強烈な鏡面反射を形成しにくいため、光が粗化領域に照射されたとき、粗面化された表面で反射されて結像を妨害する反射迷光になることが困難である。また、黒化領域は黒色の表面を有し、黒色によって光を多く吸収可能であるため、光が黒化領域に照射されたとき、黒化された表面に吸収されやすく、反射光を形成することはなく、これにより、反射光の発生を減少することができる。したがって、光学レンズの保持部に粗化領域と黒化領域とが設けられることにより、照射された反射迷光を効果的に減衰させて、光学レンズが配置されたレンズモジュールの結像品質を向上させることができる。
【０００７】
また、前記黒化領域と前記粗化領域とは、重ならない。
【０００８】
また、前記保持部は、前記光学部に接する接続部と、前記接続部より光軸から離れる方向へ延在し、他の光学ユニットと凹凸係合するための凹凸係合部とを備え、前記粗化領域は、前記接続部における物体側に向かう表面に設けられ、前記黒化領域は、前記凹凸係合部における物体側に向かう表面に設けられている。光学レンズにおける物体側に向かう表面は、一般的にレンズモジュールの入光側に向かうため、このように配置されることにより、粗化領域と黒化領域とによって、レンズモジュールの光学結像に影響を与える反射迷光をレンズモジュールの入光側から直接低減することができる。
【０００９】
また、前記黒化領域と前記粗化領域とは、少なく一部が重なる。
【００１０】
また、前記保持部は、物体側に近接する物体側面と、像側に近接する像側面と、前記物体側面と前記像側面とを接続する接続面とを備え、前記粗化領域は、前記物体側面と前記接続面とに配置され、前記黒化領域は、前記接続面に位置する前記粗化領域を覆う。
【００１１】
また、前記保持部は、前記光学部に接する接続部と、前記接続部より光軸から離れる方向に延在し、他の光学ユニットと凹凸係合するための凹凸係合部とを備え、前記接続部は、物体側に近接する物体側面と、像側に近接する像側面とを備え、前記粗化領域は、前記物体側面と前記像側面とに配置され、前記黒化領域は、前記粗化領域を覆う。
【００１２】
また、前記物体側面は、前記像側面に向かって凹んで第１溝を形成し、前記像側面は、前記物体側面に向かって第２溝を形成し、前記粗化領域は、前記第１溝と前記第２溝との表面に配置されている。
【００１３】
また、前記黒化領域は、めっき黒化領域である。
【００１４】
また、前記黒化領域は、溶射黒化領域である。
【００１５】
また、前記黒化領域は、ディスペンス黒化領域である。
【図面の簡単な説明】
【００１６】
【図１】本発明の実施形態に係る第１種の光学レンズの構造概略図である。
【図２】本発明の実施形態に係る第２種の光学レンズの構造概略図である。
【図３】本発明の実施形態に係る第３種の光学レンズの構造概略図である。
【図４】本発明の実施形態に係る第１種及び第２種の光学レンズを備えるレンズモジュールの構造概略図である。
【図５】本発明の実施形態に係る第３種の光学レンズを備えるレンズモジュールの構造概略図である。
【発明を実施するための形態】
【００１７】
本発明の実施態様の目的、解決手段およびメリットがより明瞭になるように、以下、図面を参照しながら本発明の各実施形態を詳細に説明する。しかしながら、本発明の各実施形態において、本発明をよりよく理解するために多くの技術詳細を述べることは、当業者に理解され得る。しかし、これらの技術詳細および以下の各実施形態に基づく様々な変更および修正がなくても、本発明が保護請求する解決手段も実現できる。
【００１８】
本発明の第１実施形態は、光学レンズに関し、当該光学レンズは、図１、図２、図３に示すように、中央位置に位置して、光学結像に用いられる光学部１１と、前記光学部１１を周回し、他の光学ユニットに当接するための保持部１２とを備え、前記保持部１２の表面には、粗化領域１２ａと黒化領域１２ｂとが設けられている。
【００１９】
本実施態様では、光学レンズの保持部１２に粗化領域１２ａと黒化領域１２ｂとが設けられていることにより、粗化領域１２ａと黒化領域１２ｂとが光学部１１の光学結像に影響を与えることを回避することができる。ここで、粗化領域１２ａは粗い表面を有し、粗い表面によって光が強烈な鏡面反射を形成しにくいため、光が粗化領域１２ａに照射されたとき、粗面化された表面で反射されて結像を妨害する反射迷光になることが困難である。また、黒化領域１２ｂは黒色の表面を有し、黒色によって光を多く吸収可能であるため、光が黒化領域１２ｂに照射されたとき、黒化された表面に吸収されやすく、反射光を形成することはなく、これにより、反射光の発生を低減する。したがって、光学レンズの保持部１２に粗化領域１２ａと黒化領域１２ｂとが設けられることにより、照射された反射迷光を効果的に減衰させて、光学レンズが配置されたレンズモジュールの結像品質を向上させることができる。
【００２０】
以下、本実施形態の実施詳細を具体的に説明する。以下の内容は、単なる理解を容易にするために提供される実施の詳細であり、本発明を実施するための必須なものではない。
【００２１】
本実施形態では、光学レンズは光軸ＯＯ’を有し、且つ光学部１１と当接  部１２とを備える。本実施形態における光学レンズが非球面型レンズであり、これは一例であり、光学レンズが球面型レンズであってもよいことは、理解されるべきである。
【００２２】
光学部１１は、光学レンズの中央位置に位置して、光学レンズの光軸ＯＯ’が光学部１１を通過することは一般であり、光学レンズがレンズモジュールに組み立てられると、光学部１１は光学結像の役割を果たす。
【００２３】
保持部１２は、光学部１１より前記光軸ＯＯ’から離れる方向に延在し、前記光学部１１を取り囲み、光学レンズがレンズモジュールに組み立てられると、保持部１２は、一般的に他の光学ユニット、例えば遮光板、遮光シート、押えリングなどに当接するために用いられる。
【００２４】
本実施形態では、保持部１２には、粗化領域１２ａと黒化領域１２ｂとが設けられている。
【００２５】
粗化領域１２ａは、粗化処理を経て保持部１２の表面に形成された領域であり、平滑な表面に比べて、それに照射された光に対して、鏡面反射ではなく、拡散反射の役割を果たすことができるので、粗化領域１２ａに照射された光が乱反射によって強い反射迷光を形成することがなく、これにより、光学結像を妨害する反射迷光を減衰させる。
【００２６】
黒化領域１２ｂは、黒化処理を経て保持部１２の表面に形成された領域であり、黒色によって光を多く吸収可能であるので、黒化領域１２ｂでそれに照射された光の一部を吸収して反射迷光を形成させないため、光学結像を妨害する反射迷光を低減することができる。
【００２７】
なお、「黒化処理」の方式は多くあり、例えば黒色膜のメッキ処理、黒色物質の溶射処理、又は黒色接着剤のディスペンス処理を行うことにより、それぞれめっき黒化領域、溶射黒化領域、ディスペンス黒化領域などを形成することができる。「黒化処理」は上記に列挙された方式に加えて、他の方式であってもよく、ここでは１つの実施例に過ぎず、他の実施形態における本発明の制限を構成するものではないことが理解されるべきであり、黒化処理によって光学レンズの表面を黒色にするものであれば、本発明の保護範囲に含まれ、ここで一々列挙はしない。
【００２８】
なお、本実施形態において、黒化領域と前記粗化領域とは、重ならなくてもよく、少なくとも一部が重なってもよい。以下では、それぞれ説明する。
【００２９】
黒化領域１２ｂと粗化領域１２ａとが重ならない場合には、黒化領域１２ｂと粗化域１２ａとは、それぞれ保持部１２の表面に配置される。例えば、図１に示すように、光学レンズ１００の保持部１２は、接続部１２１と、凹凸係合部１２２とを備え、接続部１２１は光学部１１に接し、凹凸係合部１２２は接続部１２１に接続されて光軸ＯＯ’から離れる方向に延在して、他の光学ユニットに凹凸係合するためのものである。前記粗化領域１２ａは接続部１２１における物体側に向かう表面に配置され、前記黒化領域１２ｂは凹凸係合部１２２における物体側に向かう表面に配置され、さらに、艶消し作用を有する粗化領域１２ａは、接続部１２１における光学部１１に近接する末端（すなわち非球面終端）から凹凸係合部１２２の前に延在する一方、凹凸係合部１２２に黒化処理が行われ、すなわち黒化領域１２ｂが形成される。光学レンズ１００における物体側に向かう表面が一般的にレンズモジュールの入光側に向かうため、粗化領域１２ａと黒化領域１２ｂとがそれぞれ接続部１２１と凹凸係合部１２２との物体側面に向かう表面に位置すると、レンズモジュールの光学結像に影響を与える反射迷光を粗化領域１２ａと黒化領域１２ｂとによってレンズモジュールの入光側から直接低減することに寄与することは、理解されるべきである。
【００３０】
黒化領域１２ｂと粗化領域１２ａとが重ならない場合には、前記黒化領域１２ｂと前記粗化領域１２ａとは、保持部１２の表面において少なくとも一部が重なってもよい。
【００３１】
例えば、図２に示すように、光学レンズ２００の保持部１２は物体側面１２Ａと、像側面１２Ｂと、接続面１２Ｃとを含み、物体側面１２Ａが物体側に近接し、像側面１２Ｂが像側に近接し、接続面１２Ｃが前記物体側面１２Ａと前記像側面１２Ｂとを接続する。前記粗化領域１２ａは、物体側面１２Ａと接続面１２Ｃとに配置され、前記黒化領域１２ｂは、前記接続面１２Ｃに位置する粗化領域１２ａを覆う。つまり、黒化領域１２ｂは、全部が粗化領域１２ａ上に被覆される一方、粗化領域１２ａは、一部のみが黒化領域１２ｂによって覆われる。さらに、艶消し作用を有する粗化領域１２ａは、支持部１２の物体側面１２Ａにおける光学部１１に接続される末端（すなわち非球面終端）から、接続面１２Ｃを介して像側面１２Ｂと接続面１２Ｃとの境界まで延在する。すなわち、粗化領域１２ａの分布領域は、光学レンズ２００の外径（すなわち、接続面１２Ｃ）を含み、光学レンズ２００では、外径部に対して黒化処理を行なうことにより黒化領域１２ｂを形成する。
【００３２】
これに加えて、黒化領域１２ｂと粗化領域１２ａとは、完全に重なってもよく、例えば、図３に示すように、光学レンズ３００の保持部１２は、接続部１２１と凹凸係合部１２２とを含み、接続部１２１は、光学部１１に接し、凹凸係合部１２２は、接続部１２１より光軸ＯＯ’から離れる方向へ延在し、他の光学ユニットに凹凸係合するために使用され、接続部１２１は、物体側に近接する物体側面１２１Ａと、像側に近接する像側面１２１Ｂとを含む。前記粗化領域１２ａは、前記物体側面１２１Ａと前記像側面１２１Ｂとに配置され、前記黒化領域１２ｂは、前記粗化領域１２ａを覆う。つまり、光学レンズ３００の物体側と像側との両方にも、黒化領域１２ｂと粗化領域１２ａが設けられている。光学レンズ３００の物体側がレンズモジュールの入光側に向かい、像側がレンズモジュールの結像側に向かい、物体側に配置された黒化領域１２ｂと粗化領域１２ａが入光側からの反射迷光を減衰させることで結像側への迷光を低減することができ、像側に配置された黒化領域１２ｂと粗化領域１２ａが結像側の近傍の迷光を減衰させることができることは、理解されるべきである。
【００３３】
さらに、光学レンズ３００では、接続部１２１の物体側面１２１Ａと像側面１２１Ｂとは、一部が凹んでもよく、突出してもよい。図３に示す構造において、物体側面１２１Ａは、前記像側面１２１Ｂに向かって凹んで第１凹溝を形成し、前記像側面１２１Ｂは、前記物体側面１２１Ａに向かって第２凹溝を形成し、前記粗化領域１２ａは、前記第１凹溝と前記第２凹溝との表面に設けられている。黒化領域１２ｂが第１凹溝と前記第２凹溝とにおける粗化領域１２ａ上に被覆されることは、理解されるべきである。
【００３４】
上記図１、図２、図３に示される光学レンズ１００、２００、３００及び黒化領域１２ｂ、粗化領域１２ａの位置配置は、いずれも単なる例示であり、他の実施形態における本発明の制限を構成するものではないことは、理解されるべきである。他の実施形態において、黒化領域１２ｂ、粗化領域１２ａは他の具体的な方式の配置であってもよく、ここで一々列挙はしない。
【００３５】
なお、黒化領域１２ｂと粗化領域１２ａとが少なくとも部分的に重なる場合には、まず光学レンズ（例えば光学レンズ２００、光学レンズ３００）の対応する位置（例えば、保持部１２、又は光学レンズの有効径以外の領域）に艶消し処理、即ち粗化処理を行い、その後、黒化の必要がある位置に、対応する黒化処理（例えば黒色膜のめっき処理、黒色物質の溶射処理、黒色接着剤のディスペンス処理）を行う必要がある。黒化の位置は、実際の状況に応じて選択することができ、例えば、黒化領域１２ｂが必ずしも完全に粗領域１２ａを覆うする必要はなく、ここで詳しく説明しない。
【００３６】
なお、上記列挙された光学レンズ１００、２００、３００は、それぞれ異なるレンズモジュールに設置されてもよく、同一のレンズモジュールに組み合わされて設置されてもよく、よりよく説明するために、本実施形態では、２つのレンズモジュールの構造概略図を列挙する。
【００３７】
図４に示すように、レンズモジュール４００は、鏡筒１０１と、前記鏡筒１０１内に配置される第１光学レンズ１００及び第２光学レンズ２００とを含む。具体的には、第１光学レンズ１００は、レンズモジュール４００における最も物体側に近接するレンズであり、第２光学レンズ２００は、レンズモジュール４００における最も像側に近接するレンズであり、艶消し処理及び黒化処理が実施された第１光学レンズ１００及び第２光学レンズ２００によって、レンズモジュール４００内部の迷光を効果的に低減するとともに、レンズモジュールの通気性を増加することができる。
【００３８】
図５に示すように、レンズモジュール５００は、光学レンズ３００を含み、具体的には、光学レンズ３００は、レンズモジュール５００における物体側から像側に向かって配列された第２枚のレンズであり、粗化処理である艶消し処理及び黒化処理が順次に実施された光学レンズ３００によって、レンズモジュール５００の物体側、像側からの迷光が効果的に低減されて、レンズモジュール５００の結像品質が向上する。
【００３９】
図４及び図５が単に本発明で列挙された一部の光学レンズの応用例を示すものであり、他の実施形態における本発明の制限を構成するものではないことは、理解されるべきである。
【００４０】
上記各実施形態は、本発明を実現する具体的な実施態様であり、実際の適用において、本発明の精神および範囲を逸脱することなく、形態および詳細において様々な変更がなされ得ることは、当業者に理解され得る。
【図１】
2020027279.tif 000003
【図２】
2020027279.tif 000004
【図３】
2020027279.tif 000005
【図４】
2020027279.tif 000006
【図５】
2020027279.tif 000007